(57)【要約】【課題】ダイレクトグラビア印刷法において、シャドウ部の濃度を従来以上に濃くすることが可能なグラビア印刷版を提供すること。【解決手段】すなわち、本発明によれば、インキを保持しない外枠部１２と、外枠部１２の内側に配置され、インキを保持することが可能なインキ保持部１４とからなり、インキ保持部１４の面積を調節することによって網点の大きさを調節可能な一単位である略矩形のセル１０の集合体が版面に形成されてなるダイレクトグラビア印刷用のグラビア印刷版において、インキ保持部１４の面積を可能な限り最大にしたベタ状のセルが隣接して存在する場合には、互いに隣接するベタ状のセル１０のインキ保持部１４同士を連接するように、互いに隣接するベタ状のセル１０のそれぞれの外枠部１２の一部を、インキを保持することが可能な連接部１６に置き換えるようにしている。【選択図】      図１
2006035512.tif 000002
【特許請求の範囲】
【請求項１】
インキを保持しない外枠部と、前記外枠部の内側に配置され、インキを保持することが可能なインキ保持部とからなり、前記インキ保持部の面積を調節することによって網点の大きさを調節可能な一単位である略矩形のセルの集合体が版面に形成されてなるダイレクトグラビア印刷用のグラビア印刷版において、
前記インキ保持部の面積を可能な限り最大にしたベタ状のセルが隣接して存在する場合には、互いに隣接するベタ状のセルのインキ保持部同士を連接するように、前記互いに隣接するベタ状のセルのそれぞれの外枠部の一部を、インキを保持することが可能な連接部に置き換えるようにしたグラビア印刷版。
【請求項２】
インキを保持しない外枠部と、前記外枠部の内側に配置され、インキを保持することが可能なインキ保持部とからなり、前記インキ保持部の面積を調節することによって網点の大きさを調節可能な一単位である略矩形のセルの集合体が版面に形成されてなるダイレクトグラビア印刷用のグラビア印刷版において、
前記インキ保持部の面積を可能な限り最大にしたベタ状の複数のセルが正方格子状に隣接して存在する場合には、この正方格子内に存在するベタ状のセルについて、互いに隣接するベタ状のセルのインキ保持部同士を連接するように、この互いに隣接するベタ状のセルのそれぞれの外枠部の一部を、インキを保持することが可能な連接部に置き換えるようにしたグラビア印刷版。
【請求項３】
請求項１に記載のグラビア印刷版において、
前記正方格子は、２行２列であるグラビア印刷版。
【請求項４】
請求項１乃至３のうち何れか１項に記載のグラビア印刷版において、
前記互いに隣接するベタ状のセル同士の外枠部をそれぞれ二分するように前記連接部を設けるようにしたグラビア印刷版。
【請求項５】
請求項１乃至４のうち何れか１項に記載のグラビア印刷版によって印刷されてなるグラビア印刷物。
【請求項６】
請求項５に記載のグラビア印刷物を綴じてなる冊子体。
【発明の詳細な説明】
【技術分野】
【０００１】
本発明は、グラビア印刷版、グラビア印刷物、および冊子体に係り、更に詳しくは、ダイレクトグラビア印刷においてシャドウ部の濃度を濃くするのに好適なグラビア印刷版、このグラビア印刷版によって印刷されたグラビア印刷物、およびこのグラビア印刷物を綴じてなる冊子体に関するものである。
【背景技術】
【０００２】
ダイレクトグラビア印刷法は、コンベンショナルグラビア印刷法、および彫刻グラビア印刷法とならぶグラビア印刷の主要な方法の一つである（特許文献１）。
【０００３】
一般に、ダイレクトグラビア印刷用のグラビア印刷版は、図５（ａ）の平面図に示すように、網点の大きさを調節可能な一単位である略矩形のセル１０の集合体がマトリクス状に版面に形成されている。また、図５（ｂ）は、図５（ａ）中におけるＸ−Ｘ線に沿った切断面における立断面概念図を２つ並べた図である。
【０００４】
すなわち、このセル１０は、セル１０の外枠を形成する所謂土手の機能をはたし、インキを保持しない外枠部１２を備えている。また、外枠部１２の内側には、図５（ｂ）に示すように、外枠部１２によって囲まれた枠状の凹部領域となっており、この凹部領域によりインキを保持することが可能なインキ保持部１４を形成している。網点の大きさを調節する場合には、インキ保持部１４の面積を、すなわち外枠部１２の面積を調節することによって行われる。
【０００５】
ベタ状の網点を形成するためには、インキ保持部１４の面積を可能な限り最大に、すなわち図５（ａ）に示すように、外枠部１２を最小限とし、それ以外を全てインキ保持部１４とすることによって行われる。
【０００６】
例えば、セル１０が、図５（ａ）に示すように２０×２０＝４００の矩形状のマスによって形成されている場合、ベタ状の網点を形成するためには、最外周の７６マスのみを外枠部１２とし、外枠部１２以外の全マスである３２４マスがインキ保持部１４とされる。この場合、セル１０におけるインキ保持部１４の面積率は３２４／４００＝８１％となる。
【０００７】
ベタ状以外の網点を形成する場合には、インキ保持部１４の面積、すなわち外枠部１２の面積を適宜調整することによって行われる。すなわち、網点の濃さをより薄くしたい場合には、インキ保持部１４の面積をより小さくする、すなわち外枠部１２の面積を大きくすることによってなされる。
【特許文献１】特開平１０−１５７２７３号公報
【発明の開示】
【発明が解決しようとする課題】
【０００８】
しかしながら、このようなダイレクトグラビア印刷法によるグラビア印刷では、以下のような問題がある。
【０００９】
すなわち、コンベンショナルグラビア印刷法や彫刻グラビア印刷法の場合には、ライトからミディアム、シャドウに向かって徐々にセル１０を深くする事によってシャドウ部の濃度を濃くすることが可能であるが、ダイレクトグラビア印刷法ではそのようなことはできない。したがって、ダイレクトグラビア印刷におけるシャドウ部の濃度の濃さは、上述したようなベタ状のセル１０におけるインキ保持部１４の面積率によって決定されてしまう。
【００１０】
しかしながら、ダイレクトグラビア印刷では、セル１０に外枠部１２が設けられているという物理的制約のために、セル１０におけるインキ保持部１４の面積率の上限が定められてしまい、シャドウ部の濃度を高くするには実質的に限界があるという問題がある。
【００１１】
本発明はこのような事情に鑑みてなされたものであり、その第１の目的は、ダイレクトグラビア印刷法において、シャドウ部の濃度を従来以上に濃くすることが可能なグラビア印刷版を提供することにある。
【００１２】
また、その第２の目的は、このグラビア印刷版を用いて印刷することにより、シャドウ部が従来以上に濃い印刷を容易に実現することが可能なグラビア印刷物および冊子体を提供することにある。
【課題を解決するための手段】
【００１３】
上記の目的を達成するために、本発明では、以下のような手段を講じる。
【００１４】
すなわち、請求項１の発明は、インキを保持しない外枠部と、外枠部の内側に配置され、インキを保持することが可能なインキ保持部とからなり、インキ保持部の面積を調節することによって網点の大きさを調節可能な一単位である略矩形のセルの集合体が版面に形成されてなるダイレクトグラビア印刷用のグラビア印刷版において、インキ保持部の面積を可能な限り最大にしたベタ状のセルが隣接して存在する場合には、互いに隣接するベタ状のセルのインキ保持部同士を連接するように、互いに隣接するベタ状のセルのそれぞれの外枠部の一部を、インキを保持することが可能な連接部に置き換えるようにしている。
【００１５】
請求項２の発明は、インキを保持しない外枠部と、外枠部の内側に配置され、インキを保持することが可能なインキ保持部とからなり、インキ保持部の面積を調節することによって網点の大きさを調節可能な一単位である略矩形のセルの集合体が版面に形成されてなるダイレクトグラビア印刷用のグラビア印刷版において、インキ保持部の面積を可能な限り最大にしたベタ状の複数のセルが正方格子状に隣接して存在する場合には、この正方格子内に存在するベタ状のセルについて、互いに隣接するベタ状のセルのインキ保持部同士を連接するように、この互いに隣接するベタ状のセルのそれぞれの外枠部の一部を、インキを保持することが可能な連接部に置き換えるようにしている。
【００１６】
請求項３の発明は、請求項１の発明のグラビア印刷版において、正方格子は、２行２列であるグラビア印刷版である。
【００１７】
請求項４の発明は、請求項１乃至３のうち何れか１項の発明のグラビア印刷版において、互いに隣接するベタ状のセル同士の外枠部をそれぞれ二分するように連接部を設けるようにしている。
【００１８】
従って、請求項１乃至４の発明のグラビア印刷版においては、以上のような手段を講じることにより、ダイレクトグラビア印刷法において、シャドウ部の濃度を容易に濃くすることが可能となる。
【００１９】
請求項５の発明は、請求項１乃至４のうち何れか１項の発明のグラビア印刷版によって印刷されてなるグラビア印刷物である。
【００２０】
請求項６の発明は、請求項５の発明の印刷物を綴じてなる冊子体である。
【００２１】
従って、請求項５および請求項６の発明においては、以上のような手段を講じることにより、濃い印刷を容易に実現することが可能なグラビア印刷および冊子体を実現することが可能となる。
【発明の効果】
【００２２】
本発明のグラビア印刷版によれば、ダイレクトグラビア印刷法において、シャドウ部の濃度を従来以上に濃くすることが可能となる。また、このグラビア印刷版を用いて印刷することにより、従来以上に濃い印刷を容易に実現することが可能なグラビア印刷物および冊子体を実現することが可能となる。
【発明を実施するための最良の形態】
【００２３】
以下に、本発明を実施するための最良の形態について図面を参照しながら説明する。
【００２４】
図１（ａ）は、本発明の実施の形態に係るダイレクトグラビア印刷用のグラビア印刷版のセルの構成例を示す平面図である。また、図１（ｂ）および図１（ｃ）は、図１（ａ）中におけるＡ−Ａ線、およびＢ−Ｂ線に沿った切断面における立断面概念図である。
【００２５】
すなわち、本発明の実施の形態に係るダイレクトグラビア印刷用のグラビア印刷版は、図１（ａ）に示すように、ベタ状のセル１０が隣接して存在する場合には、互いに隣接するベタ状のセル１０（例えばセル１０（＃１）とセル１０（＃２）、セル１０（＃２）とセル１０（＃３）、セル１０（＃３）とセル１０（＃４）、セル１０（＃４）とセル１０（＃１））のインキ保持部１４同士（例えばインキ保持部１４（＃１）とインキ保持部１４（＃２）、インキ保持部１４（＃２）とインキ保持部１４（＃３）、インキ保持部１４（＃３）とインキ保持部１４（＃４）、インキ保持部１４（＃４）とインキ保持部１４（＃１））を連接するように、互いに隣接する外枠部１２の一部をインキを保持する連接部１６に置き換えるようにしている。
【００２６】
つまり、互いに隣接したセル１０（＃１）とセル１０（＃２）とに着目すると、外枠部１２（＃１）と外枠部１２（＃２）との一部を、連接部１６（＃ａ）に置き換えている。同様に、互いに隣接したセル１０（＃２）とセル１０（＃３）とについては、外枠部１２（＃２）と外枠部１２（＃３）との一部を、連接部１６（＃ｂ）に置き換えている。また、互いに隣接したセル１０（＃３）とセル１０（＃４）とついては、外枠部１２（＃３）と外枠部１２（＃４）との一部を、連接部１６（＃ｃ）に置き換えている。更に、互いに隣接したセル１０（＃４）とセル１０（＃１）とついては、外枠部１２（＃４）と外枠部１２（＃１）との一部を、連接部１６（＃ｄ）に置き換えている。この連接部１６は、互いに隣接するベタ状のセルのそれぞれの外枠部１２を二分するように配置するのが好ましいが、そうでなくても構わない。
【００２７】
連接部１６も、インキ保持部１４と同様に彫り込まれることによって、インキを保持できるようにしている。彫り込む深さは、インキ保持部１４と同様に、好ましくは５ミクロン以上３０ミクロン以下が良く、さらには、１５ミクロン以上２５ミクロン以下が好ましい。したがって、図１（ｃ）に示すように、連接部１６（＃ａ）を設けることによって、インキ保持部１４（＃１）とインキ保持部１４（＃２）とが連続的につながるようにしている。
【００２８】
これによって、セル１０内におけるインキ保持可能な領域の割合を高めることができ、グラビア印刷物におけるシャドウ部の濃度を従来以上に濃くできるようにしている。図５と同様に、セル１０が、２０×２０＝４００の矩形状のマスによって形成され、最外周の７６マスである外枠部１２以外の３２４マスがインキ保持部１４である場合、図１のように２行２列の正方格子状に隣接する４つのセル１０（＃１〜＃４）に対して、２×２＝４マスの連接部１６（＃ａ〜＃ｄ）をそれぞれ設けた場合、各セル１０（＃１〜＃４）におけるインキ保持可能な領域の面積率は３２８／４００＝８２％となり、図５に示す連接部１６を設けない場合の８１％よりもインキ保持可能な領域の面積率を高めることが可能となる。
【００２９】
図２は、２行２列の正方格子状に隣接するセル１０（＃１〜＃４）に対して、４×２＝８マスの連接部１６（＃ａ〜＃ｄ）をそれぞれ設けることによって、各セル１０（＃１〜＃４）におけるインキ保持可能な領域の面積率を３３２／４００＝８３％まで高めた場合を示す平面図である。図３は、同様に８×２＝１６マスの連接部１６（＃ａ〜＃ｄ）をそれぞれ設けることによって、同面積率を３４０／４００＝８５％まで、図４は、互いに隣接するセル１０間の外枠部１２を全て連接部１６とすることによって、同面積率を３６１／４００＝９０．２５％までそれぞれ高めた場合を示す平面図である。
【００３０】
このように、外枠部１２を連接部１６に置き換えて行くことによって、セル１０内におけるインキ保持可能な領域の面積率を高めるようにしている。
【００３１】
なお、互いに隣接するセルのパターンは、図１に示すように、２行２列の正方格子状に限られるものではなく、例えば３行３列で正方格子状に互いに隣接する９つのセルに対しても適用することができる。また、正方格子に限られるものでもなく、例えば、２行３列に互いに配置している６つのセルに対しても適用することができる。
【００３２】
次に、以上のように構成した本発明の実施の形態に係るグラビア印刷版の作用について説明する。
【００３３】
すなわち、本発明の実施の形態に係るグラビア印刷版では、ベタ状のセル１０が隣接して存在する場合には、互いに隣接するベタ状のセル１０におけるインキ保持部１４同士を連接するように、互いに隣接する外枠部１２の一部が、インキを保持することが可能な連接部１６に置き換えられる。この連接部１６は、互いに隣接するベタ状のセルのそれぞれの外枠部１２を二分するように配置するのが好ましいが、そうでなくても構わない。
【００３４】
この連接部１６も、インキ保持部１４と同様に彫り込まれることによって、インキを保持することができる。これによって、セル１０内におけるインキ保持可能な領域の割合を高めることができ、グラビア印刷物におけるシャドウ部の濃度を従来以上に濃くすることができる。
【００３５】
例えば、従来技術では、図５に示すように、２０×２０＝４００の矩形状のマスによって形成されたセル１０の場合、少なくとも最外周の７６マスは、外枠部１２としなければならないことから、最大でもインキ保持可能な領域の面積率は８１％であった。それに対し、例えば２行２列の正方格子状に隣接する４つのベタ状のセル１０（＃１〜＃４）を対象にそれぞれ連接部１６（＃ａ〜＃ｄ）を設けることによって、図１から図４に示すように、セル１０内のインキ保持可能な領域の面積率を８２％から９０．２５％の範囲で任意に高めることが可能となる。
【００３６】
上述したように、本発明の実施の形態に係るダイレクトグラビア印刷用のグラビア印刷版によれば、上記のような作用により、シャドウ部の濃度を従来以上に濃くすることが可能となる。また、このグラビア印刷版を用いて印刷することにより、従来以上に濃い印刷を容易に実現することが可能なグラビア印刷物および冊子体を実現することが可能となる。
【００３７】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００３８】
【図１】本発明の実施の形態に係るダイレクトグラビア印刷用のグラビア印刷版のセルの構成例を示す平面図と、図１（ａ）におけるＡ−Ａ線及びＢ−Ｂ線に沿った切断面における各立断面概念図。
【図２】本発明の実施の形態に係るダイレクトグラビア印刷用のグラビア印刷版のセルの構成例を示す平面図（インキ保持可能な領域の面積率８３％）。
【図３】本発明の実施の形態に係るダイレクトグラビア印刷用のグラビア印刷版のセルの構成例を示す平面図（インキ保持可能な領域の面積率８５％）。
【図４】本発明の実施の形態に係るダイレクトグラビア印刷用のグラビア印刷版のセルの構成例を示す平面図（インキ保持可能な領域の面積率９０．２５％）。
【図５】ダイレクトグラビア印刷用のグラビア印刷版のセルの構成例を示す平面図、及び図５（ａ）中におけるＸ−Ｘ線に沿った切断面における立断面概念図を２つ並べた図。
【符号の説明】
【００３９】
１０…セル、１２…外枠部、１４…インキ保持部、１６…連接部
【図１】
2006035512.tif 000003
【図２】
2006035512.tif 000004
【図３】
2006035512.tif 000005
【図４】
2006035512.tif 000006
【図５】
2006035512.tif 000007